(57)【要約】【課題】本発明は、サーバに対して安否情報の登録等を簡便かつ柔軟に行うことを可能とする端末等を提供することを目的とする。【解決手段】本発明に係る端末（２）は、サーバと通信可能な端末であって、通信を行う通信部（２１）と、通信を行う際に装着する必要がある可搬記憶媒体であって、当該可搬記憶媒体に不可分に割り当てられ、ユーザを一意に識別する第１識別情報を記憶する可搬記憶媒体を装着する装着部（２２）と、可搬記憶媒体を一意に識別する第２識別情報を記憶するための記憶部（２３）と、装着部により装着された可搬記憶媒体から第１識別情報を取得する第１取得部（２６１）と、記憶部から第２識別情報を取得する第２取得部（２６２）と、第１識別情報及び第２識別情報をサーバに送信する認証要求部（２６３）と、ユーザが認証された場合に、サーバに安否情報の登録又は確認を要求する処理要求部（２６４、２６５）とを備える。【選択図】図１
2014123315.tif 000002
【特許請求の範囲】
【請求項１】
安否情報を管理するサーバと通信可能な端末であって、
通信を行う通信部と、
通信を行う際に装着する必要がある可搬記憶媒体であって、当該可搬記憶媒体に不可分に割り当てられ、ユーザを一意に識別する第１識別情報を記憶する可搬記憶媒体を装着する装着部と、
可搬記憶媒体を一意に識別する第２識別情報を記憶するための記憶部と、
前記装着部により装着された可搬記憶媒体から前記第１識別情報を取得する第１取得部と、
前記記憶部から前記第２識別情報を取得する第２取得部と、
前記第１識別情報及び前記第２識別情報をサーバに送信する認証要求部と、
ユーザが認証された場合に、サーバに安否情報の登録又は確認を要求する処理要求部と、を備えることを特徴とする端末。
【請求項２】
ユーザから入力を受け付ける入力部をさらに備え、
前記記憶部には、前記入力部を介してユーザにより入力された第２識別情報が格納される、請求項１に記載の端末。
【請求項３】
前記可搬記憶媒体は、第２識別情報をさらに記憶し、
前記記憶部には、前記装着部により装着された可搬記憶媒体から取得された前記第２識別情報が格納される、請求項１に記載の端末。
【請求項４】
前記端末は、通常モード及び災害モードのいずれか一方で動作し、
災害情報を受信した場合に、前記端末は災害モードに移行し、
前記端末が災害モードで動作している場合に、前記認証要求部は、前記第１識別情報及び前記第２識別情報をサーバに送信する、請求項１〜３のいずれか一項に記載の端末。
【請求項５】
安否情報を管理するサーバと通信可能な端末であって、
通信を行う際に装着する必要がある可搬記憶媒体であって、当該可搬記憶媒体に不可分に割り当てられ、ユーザを一意に識別する第１識別情報を記憶する可搬記憶媒体を装着する装着部と、
可搬記憶媒体を一意に識別する第２識別情報を記憶するための記憶部と、
を備える端末の制御方法であって、前記端末が、
前記装着部により装着された可搬記憶媒体から前記第１識別情報を取得し、
前記記憶部から前記第２識別情報を取得し、
前記第１識別情報及び前記第２識別情報をサーバに送信し、
ユーザが認証された場合に、サーバに安否情報の登録又は確認を要求する、
ことを含むことを特徴とする端末の制御方法。
【請求項６】
安否情報を管理するサーバと通信可能な端末であって、
通信を行う際に装着する必要がある可搬記憶媒体であって、当該可搬記憶媒体に不可分に割り当てられ、ユーザを一意に識別する第１識別情報を記憶する可搬記憶媒体を装着する装着部と、
可搬記憶媒体を一意に識別する第２識別情報を記憶するための記憶部と、
を備える端末の制御プログラムであって、前記端末に、
前記装着部により装着された可搬記憶媒体から前記第１識別情報を取得し、
前記記憶部から前記第２識別情報を取得し、
前記第１識別情報及び前記第２識別情報をサーバに送信し、
ユーザが認証された場合に、サーバに安否情報の登録又は確認を要求する、
ことを実行させることを特徴とする端末の制御プログラム。
【請求項７】
安否情報を管理するサーバであって、
可搬記憶媒体に不可分に割り当てられ、ユーザを一意に識別する第１識別情報と、可搬記憶媒体を一意に識別する第２識別情報とを対応付けて記憶する記憶部と、
通信を行う通信部と、
請求項１〜４のいずれか一項に記載の端末から第１識別情報及び第２識別情報を受信した場合に、前記記憶部に記憶されている第１識別情報及び第２識別情報と照合して端末のユーザを認証する認証部と、
ユーザが認証された場合において、端末により安否情報の登録又は確認が要求されたときに、当該安否情報の登録又は確認を行う処理部と、
を備えることを特徴とするサーバ。
【請求項８】
安否情報を管理するサーバであって、
可搬記憶媒体に不可分に割り当てられ、ユーザを一意に識別する第１識別情報と、可搬記憶媒体を一意に識別する第２識別情報とを対応付けて記憶する記憶部を備えるサーバの制御方法であって、前記サーバが、
請求項１〜４のいずれか一項に記載の端末から第１識別情報及び第２識別情報を受信した場合に、前記記憶部に記憶されている第１識別情報及び第２識別情報と照合して端末のユーザを認証し、
ユーザが認証された場合において、端末により安否情報の登録又は確認が要求されたときに、当該安否情報の登録又は確認を行う、
ことを含むことを特徴とするサーバの制御方法。
【請求項９】
安否情報を管理するサーバであって、
可搬記憶媒体に不可分に割り当てられ、ユーザを一意に識別する第１識別情報と、可搬記憶媒体を一意に識別する第２識別情報とを対応付けて記憶する記憶部を備えるサーバの制御プログラムであって、前記サーバに、
請求項１〜４のいずれか一項に記載の端末から第１識別情報及び第２識別情報を受信した場合に、前記記憶部に記憶されている第１識別情報及び第２識別情報と照合して端末のユーザを認証し、
ユーザが認証された場合において、端末により安否情報の登録又は確認が要求されたときに、当該安否情報の登録又は確認を行う、
ことを実行させることを特徴とするサーバの制御プログラム。
【発明の詳細な説明】
【技術分野】
【０００１】
本発明は、端末、その制御方法、及びその制御プログラムに関する。
【背景技術】
【０００２】
地震等の災害が発生したときに、被災者の安否を確認するための最も簡易な手段として、電話がある。しかしながら、災害が発生すると、その直後から被災者への安否確認を行うための通話によるトラフィックが被災地に対して集中するので、被災地周辺では通信回線が混雑（輻輳）し、電話が繋がり難くなる。また、このような輻輳を回避するために通信の規制が発動されることがあり、これによって被災者の安否を確認することがますます困難となる。さらに、電話が繋がらなかった確認者は再発信を行うことが多いので、このような再発信によっても輻輳が引き起こされる。このような輻輳に対しては、輻輳が発生しない程度まで予備設備投資も可能であるが、設備コストの面から現実的ではない。
【０００３】
このような問題に対して、災害時における通信システムとして、様々なシステムが開発されている。例えば、近年利用されている伝言板システムがある（例えば、特許文献１を参照）。被災者は、携帯電話を用いて伝言板システムに接続することにより、安否情報を登録することができる。また、確認者は、携帯電話を用いて伝言板システムに接続し、被災者の電話番号を入力することにより、被災者により登録された安否情報を確認することができる。
【０００４】
このような伝言板システムは、従来は携帯電話からのみ接続が可能であった。しかしながら、現在は多機能携帯電話（所謂「スマートフォン」）からも接続が可能となっている。携帯電話や多機能携帯電話から伝言板システムに接続して安否情報を登録する前に、いたずら等の不正使用を防止するために、ユーザ名及びパスワードによりユーザ認証を行うことがある。しかしながら、ユーザ名及び／又はパスワードは忘れやすい。
【０００５】
また、従来の伝言板システムは、災害時にユーザが所持している携帯電話等が電池切れや損傷を受けたために使用不能状態になったときは、その携帯電話等からは安否情報の登録や確認を行うことができない。
【先行技術文献】
【特許文献】
【０００６】
【特許文献１】特開２００７−２０６８１７号公報
【発明の概要】
【発明が解決しようとする課題】
【０００７】
このように、災害時における従来の伝言板システムは、安否情報の登録等を簡便かつ柔軟に行えるものではなかった。
【０００８】
本発明は、このような従来の課題を解決すべくなされたものであり、安否情報を管理するサーバに対して安否情報の登録等を簡便かつ柔軟に行うことを可能とする端末、その制御方法、及びその制御プログラムを提供することを目的とする。
【課題を解決するための手段】
【０００９】
本発明に係る端末は、安否情報を管理するサーバと通信可能な端末であって、通信を行う通信部と、通信を行う際に装着する必要がある可搬記憶媒体であって、当該可搬記憶媒体に不可分に割り当てられ、ユーザを一意に識別する第１識別情報を記憶する可搬記憶媒体を装着する装着部と、可搬記憶媒体を一意に識別する第２識別情報を記憶するための記憶部と、装着部により装着された可搬記憶媒体から第１識別情報を取得する第１取得部と、記憶部から第２識別情報を取得する第２取得部と、第１識別情報及び第２識別情報をサーバに送信する認証要求部と、ユーザが認証された場合に、サーバに安否情報の登録又は確認を要求する処理要求部とを備える。
【００１０】
また、本発明に係る端末において、ユーザから入力を受け付ける入力部をさらに備え、記憶部には、入力部を介してユーザにより入力された第２識別情報が格納されることが好ましい。
【００１１】
また、本発明に係る端末において、可搬記憶媒体は、第２識別情報をさらに記憶し、記憶部には、装着部により装着された可搬記憶媒体から取得された第２識別情報が格納されることが好ましい。
【００１２】
また、本発明に係る端末において、端末は、通常モード及び災害モードのいずれか一方で動作し、災害情報を受信した場合に、端末は災害モードに移行し、端末が災害モードで動作している場合に、認証要求部は、第１識別情報及び第２識別情報をサーバに送信することが好ましい。
【００１３】
本発明に係る端末の制御方法は、安否情報を管理するサーバと通信可能な端末であって、通信を行う際に装着する必要がある可搬記憶媒体であって、当該可搬記憶媒体に不可分に割り当てられ、ユーザを一意に識別する第１識別情報を記憶する可搬記憶媒体を装着する装着部と、可搬記憶媒体を一意に識別する第２識別情報を記憶するための記憶部とを備える端末の制御方法であって、端末が、装着部により装着された可搬記憶媒体から第１識別情報を取得し、記憶部から第２識別情報を取得し、第１識別情報及び第２識別情報をサーバに送信し、ユーザが認証された場合に、サーバに安否情報の登録又は確認を要求することを含む。
【００１４】
本発明に係る端末の制御プログラムは、安否情報を管理するサーバと通信可能な端末であって、通信を行う際に装着する必要がある可搬記憶媒体であって、当該可搬記憶媒体に不可分に割り当てられ、ユーザを一意に識別する第１識別情報を記憶する可搬記憶媒体を装着する装着部と、可搬記憶媒体を一意に識別する第２識別情報を記憶するための記憶部とを備える端末の制御プログラムであって、端末に、装着部により装着された可搬記憶媒体から第１識別情報を取得し、記憶部から第２識別情報を取得し、第１識別情報及び第２識別情報をサーバに送信し、ユーザが認証された場合に、サーバに安否情報の登録又は確認を要求することを実行させる。
【００１５】
本発明に係るサーバは、安否情報を管理するサーバであって、可搬記憶媒体に不可分に割り当てられ、ユーザを一意に識別する第１識別情報と、可搬記憶媒体を一意に識別する第２識別情報とを対応付けて記憶する記憶部と、通信を行う通信部と、端末から第１識別情報及び第２識別情報を受信した場合に、記憶部に記憶されている第１識別情報及び第２識別情報と照合して端末のユーザを認証する認証部と、ユーザが認証された場合において、端末により安否情報の登録又は確認が要求されたときに、当該安否情報の登録又は確認を行う処理部とを備える。
【００１６】
本発明に係るサーバの制御方法は、安否情報を管理するサーバであって、可搬記憶媒体に不可分に割り当てられ、ユーザを一意に識別する第１識別情報と、可搬記憶媒体を一意に識別する第２識別情報とを対応付けて記憶する記憶部を備えるサーバの制御方法であって、サーバが、端末から第１識別情報及び第２識別情報を受信した場合に、記憶部に記憶されている第１識別情報及び第２識別情報と照合して端末のユーザを認証し、ユーザが認証された場合において、端末により安否情報の登録又は確認が要求されたときに、当該安否情報の登録又は確認を行うことを含む。
【００１７】
本発明に係るサーバの制御プログラムは、安否情報を管理するサーバであって、可搬記憶媒体に不可分に割り当てられ、ユーザを一意に識別する第１識別情報と、可搬記憶媒体を一意に識別する第２識別情報とを対応付けて記憶する記憶部を備えるサーバの制御プログラムであって、サーバに、端末から第１識別情報及び第２識別情報を受信した場合に、記憶部に記憶されている第１識別情報及び第２識別情報と照合して端末のユーザを認証し、ユーザが認証された場合において、端末により安否情報の登録又は確認が要求されたときに、当該安否情報の登録又は確認を行うことを実行させる。
【発明の効果】
【００１８】
本発明に係る端末、その制御方法、及びその制御プログラムは、可搬記憶媒体に記憶されている情報とユーザが記憶している（しやすい）情報とを併用することにより、安否情報を管理するサーバに対して安否情報の登録等を簡便かつ柔軟に行うことを可能とする。即ち、ユーザが所持している端末が電池切れや損傷を受けたために使用不能になった場合にも、その端末に装着されている可搬記憶媒体を取り出して、別の異なる端末に装着されている可搬記憶媒体と差し換えて使用することで安否情報の登録や確認を行うことが可能となる。
【図面の簡単な説明】
【００１９】
【図１】伝言板システムの概略構成の一例を示す図である。
【図２】携帯端末の概略構成の一例を示す図である。
【図３】携帯端末の表示画面の一例を示す図である。
【図４】伝言板サーバの概略構成の一例を示す図である。
【図５】ＣＵＲサーバの概略構成の一例を示す図である。
【図６】伝言板システムの動作シーケンスの一例を示す図である。
【図７】携帯端末の動作フローの一例を示す図である。
【図８】伝言板システムの動作シーケンスの他の一例を示す図である。
【発明を実施するための形態】
【００２０】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２１】
本実施形態では、災害が発生した後に、被災者は、携帯端末を用いて伝言板システムに接続し、安否情報の登録を試みる。被災者は、本人を一意に識別する第１識別情報と、可搬記憶媒体を一意に識別する第２識別情報を用いてユーザ認証を受けることにより、安否情報の登録が可能となる。一方、確認者は、携帯端末を用いて伝言板システムに接続し、安否情報の確認を試みる。確認者は、本人を一意に識別する第１識別情報と、可搬記憶媒体を一意に識別する第２識別情報を用いてユーザ認証を受けた後に、被災者に係る第２識別情報を入力することにより、被災者により登録された安否情報の確認が可能となる。ここで、第１識別情報は、可搬記憶媒体に不可分に割り当てられた特定の番号やＩＤなど、ユーザと一意に対応づけが可能な情報であればどのような情報でもよい。また、第２識別情報は、ユーザが記憶している（しやすい）特定の番号やＩＤなど、可搬記憶媒体と一意に対応づけが可能な情報であればどのような情報でもよい。
【００２２】
図１は、伝言板システム１の概略構成の一例を示す図である。
【００２３】
伝言板システム１では、不図示の交換機が、広域通信回線網である通信ネットワーク４を介して相互に接続される。交換機は、ある地域をカバーする無線通信ネットワークを通信ネットワーク４に接続する。無線通信ネットワークには、地域内をカバーする無線ゾーンを管理するように複数の基地局３が配置される。各基地局３は、それぞれが属する不図示の無線ネットワーク制御装置を介して交換機に接続される。また、通信ネットワーク４には、安否情報を管理する伝言板サーバ５と、ユーザ情報を管理するＣＵＲ（Common User Repository）サーバ６とが接続される。そして、ある地域内の携帯端末２が、その地域内外の他の携帯端末２、伝言板サーバ５等と通信を行う際に、携帯端末２は、基地局３を介して交換機に接続され、さらに通信ネットワーク４に接続される。
【００２４】
なお、本実施形態では、ユーザとしてユーザａ及びユーザｂを想定し、ユーザａを被災者とし、ユーザｂを確認者とする。また、被災者により所持され、無線通信ネットワークに接続可能な状態にある携帯端末２を携帯端末２ａとし、確認者により所持され、無線通信ネットワークに接続可能な状態にある携帯端末２を携帯端末２ｂとする。さらに、携帯端末２ａに係る基地局３を基地局３ａとし、携帯端末２ｂに係る基地局３を基地局３ｂとする。
【００２５】
図２は、携帯端末２の概略構成の一例を示す図である。
【００２６】
携帯端末２は、伝言板サーバ５に接続し、安否情報の登録及び確認を可能とする。そのために、携帯端末２は、端末通信部２１と、装着部２２と、端末記憶部２３と、操作部２４と、表示部２５と、端末処理部２６とを備える。
【００２７】
端末通信部２１は、２．１ＧＨｚ帯を感受帯域とするアンテナを含む、通信インターフェース回路を備え、携帯端末２を無線通信ネットワークに接続する。端末通信部２１は、基地局３により割り当てられるチャネルを介して、基地局３との間でＣＤＭＡ（Code Division Multiple Access）方式等による無線信号回線を確立し、基地局３との間で通信を行う。そして、端末通信部２１は、他の携帯端末２、伝言板サーバ５等から受信したデータを、端末処理部２６に与える。また、端末通信部２１は、端末処理部２６から与えられたデータを、他の携帯端末２、伝言板サーバ５等に送信する。さらに、端末通信部２１は、テレビ放送を受信するアンテナ、ＧＰＳ（Global Positioning System）信号を受信するアンテナ等を備えてもよい。なお、端末処理部２６で実行されるプログラムは、伝言板サーバ５等で実行されるプログラムと、ＨＴＴＰＳ（Hypertext Transfer Protocol over Secure Socket Layer）を用いて通信を行う。しかしながら、他の通信プロトコルを用いることも可能である。
【００２８】
装着部２２は、携帯端末２のユーザが契約している通信事業者を特定する情報を記憶する可搬記憶媒体であって、通信を行う際に装着する必要がある可搬記憶媒体を装着する手段である。具体的には、装着部２２は、可搬記憶媒体から情報を読み出したり、可搬記憶媒体に情報を書き込んだりするために、可搬記憶媒体と接続可能な物理的な接続端子を備える。ここで、可搬記憶媒体は、具体的には、ＳＩＭ（Subscriber Identity Module）カード等に相当する。可搬記憶媒体には、第１識別情報が記憶されている。可搬記憶媒体には第２識別情報が記憶されていてもよい。ここで、可搬記憶媒体を携帯端末２とは異なる携帯端末２に装着することにより、複数の携帯端末２において、同一の設定及び契約内容で通信を行うことができる。
【００２９】
端末記憶部２３は、例えば、半導体メモリ、磁気ディスク装置、及び光ディスク装置のうちの少なくともいずれか一つを備える。端末記憶部２３は、端末処理部２６での処理に用いられるドライバプログラム、オペレーティングシステムプログラム、アプリケーションプログラム、データ等を記憶する。例えば、端末記憶部２３は、ドライバプログラムとして、操作部２４を制御する入力デバイスドライバプログラム、表示部２５を制御する出力デバイスドライバプログラム等を記憶する。また、端末記憶部２３は、アプリケーションプログラムとして、安否情報の登録及び確認を行うアプリケーションプログラム、電話の発信、着信、及び通話を行うアプリケーションプログラム、電子メール及び／又はショートメッセージの送信及び受信を行うアプリケーションプログラム、ウェブページの取得及び表示を行うアプリケーションプログラム等を記憶する。また、端末記憶部２３は、データとして、安否情報の登録及び確認を行うアプリケーションプログラムに係るデータ（第２識別情報、表示用データ等）、アドレス帳データ、文字変換用の辞書データ、映像データ、画像データ等を記憶する。さらに、端末記憶部２３は、所定の処理に係る一時的なデータを一時的に記憶してもよい。
【００３０】
操作部２４は、携帯端末２の操作が可能であればどのようなデバイスでもよく、例えば、タッチパッド、キーボード等である。ユーザは、このデバイスを用いて、文字、数字等を入力することができる。操作部２４は、ユーザにより操作されると、その操作に対応する信号を発生する。そして、発生した信号は、ユーザの指示として、端末処理部２６に与えられる。
【００３１】
表示部２５は、映像、画像等の表示が可能であればどのようなデバイスでもよく、例えば、液晶ディスプレイ、有機ＥＬ（Electro−Luminescence）ディスプレイ等である。表示部２５は、端末処理部２６から与えられた映像データに応じた映像、画像データに応じた画像等を表示する。
【００３２】
端末処理部２６は、一又は複数個のプロセッサ及びその周辺回路を備える。端末処理部２６は、携帯端末２の全体的な動作を統括的に制御するものであり、例えば、ＣＰＵ（Central Processing Unit）である。端末処理部２６は、携帯端末２の各種処理が端末記憶部２３に記憶されているプログラム、操作部２４の操作等に応じて適切な手順で実行されるように、端末通信部２１、表示部２５等の動作を制御する。端末処理部２６は、端末記憶部２３に記憶されているプログラム（ドライバプログラム、オペレーティングシステムプログラム、アプリケーションプログラム等）に基づいて処理を実行する。また、端末処理部２６は、複数のプログラム（アプリケーションプログラム等）を並列に実行することができる。
【００３３】
端末処理部２６は、第１識別情報取得部２６１と、第２識別情報取得部２６２と、認証要求部２６３と、安否情報登録要求部２６４と、安否情報確認要求部２６５とを備える。これらの各部は、端末処理部２６が備えるプロセッサ上で実行されるプログラムによって実装される機能モジュールである。あるいは、これらの各部は、ファームウェアとして、携帯端末２に実装されてもよい。
【００３４】
ユーザにより操作部２４を介して、安否情報の登録及び確認を行うアプリケーションプログラムの実行が指示された場合に、端末処理部２６は、そのプログラムに基づいて処理を開始する。
【００３５】
端末処理部２６は、初期設定を行う。即ち、端末処理部２６は、端末記憶部２３に第２識別情報が記憶されているか否かを判定する。端末記憶部２３に第２識別情報が記憶されていない場合に、端末処理部２６は、端末記憶部２３から第２識別情報入力画面表示用データを取得する。そして、端末処理部２６は、取得した第２識別情報入力画面表示用データに基づいて描画データを作成し、作成した描画データを表示部２５に出力する。なお、描画データの作成は、例えば、表示用データを解析して制御データ及び内容データを特定し、特定した制御データに従って同じく特定した内容データをレイアウトすることにより行う。
【００３６】
図３は、携帯端末の表示画面の一例を示す図である。
【００３７】
図３（ａ）は、第２識別情報入力画面表示用データに基づいて表示される第２識別情報入力画面を示す。画面上部には第２識別情報を入力すべき旨が、画面中央部には第２識別情報の入力欄が、画面下部には「設定」ボタンがそれぞれ表示されており、「設定」ボタンの押下により、入力欄に入力された第２識別情報の端末記憶部２３への格納が、端末処理部２６に指示される。
【００３８】
ユーザにより操作部２４を介して、入力された第２識別情報の端末記憶部２３への格納が指示された場合に、端末処理部２６は、その第２識別情報を端末記憶部２３に格納する。
【００３９】
端末処理部２６は、端末記憶部２３からホーム画面表示用データを取得する。そして、端末処理部２６は、取得したホーム画面表示用データに基づいて描画データを作成し、作成した描画データを表示部２５に出力する。
【００４０】
図３（ｂ）は、ホーム画面表示用データに基づいて表示されるホーム画面を示す。画面上部には安否情報の登録及び確認ができる旨が、画面下部には「登録」ボタン及び「確認」ボタンがそれぞれ表示されており、「登録」ボタンの押下によりメッセージ入力画面の表示が、「確認」ボタンの押下によりメッセージ検索画面の表示が、端末処理部２６に指示される。
【００４１】
ユーザにより操作部２４を介して、メッセージ入力画面の表示が指示された場合に、第１識別情報取得部２６１は、装着部２２に装着されている可搬記憶媒体から第１識別情報を読み出す。また、第２識別情報取得部２６２は、端末記憶部２３から第２識別情報を取得する。そして、認証要求部２６３は、読み出した第１識別情報、取得した第２識別情報等を含む認証要求を、端末通信部２１を介して伝言板サーバ５に送信する。なお、メッセージ検索画面の表示が指示された場合の処理については後述する。
【００４２】
伝言板サーバ５から端末通信部２１を介して、認証応答を受信した場合に、認証要求部２６３は、受信した認証応答を解析して認証結果を特定し、特定した認証結果が認証成功を示すか否かを判定する。特定した認証結果が認証成功を示す場合に、安否情報登録要求部２６４は、端末記憶部２３からメッセージ入力画面表示用データを取得する。そして、安否情報登録要求部２６４は、取得したメッセージ入力画面表示用データに基づいて描画データを作成し、作成した描画データを表示部２５に出力する。
【００４３】
図３（ｃ）は、メッセージ入力画面表示用データに基づいて表示されるメッセージ入力画面を示す。画面上部にはメッセージを入力すべき旨が、画面中央部にはメッセージの入力欄が、画面下部には「登録」ボタンがそれぞれ表示されており、「登録」ボタンの押下により、入力欄に入力されたメッセージの伝言板サーバ５への登録が、安否情報登録要求部２６４に指示される。
【００４４】
ユーザにより操作部２４を介して、入力されたメッセージの伝言板サーバ５への登録が指示された場合に、安否情報登録要求部２６４は、そのメッセージ等を含む登録要求を、端末通信部２１を介して伝言板サーバ５に送信する。また、安否情報登録要求部２６４は、端末記憶部２３からメッセージ登録完了画面表示用データを取得し、取得したメッセージ登録完了画面表示用データに基づいて描画データを作成し、作成した描画データを表示部２５に出力する。
【００４５】
図３（ｄ）は、メッセージ登録完了画面表示用データに基づいて表示されるメッセージ登録完了画面を示す。画面上部には安否情報を登録した旨が、画面下部には「戻る」ボタンがそれぞれ表示されており、「戻る」ボタンの押下により、ホーム画面の表示が端末処理部２６に指示される。
【００４６】
ユーザにより操作部２４を介して、ホーム画面の表示が指示された場合に、端末処理部２６は、端末記憶部２３からホーム画面表示用データを取得する。そして、端末処理部２６は、取得したホーム画面表示用データに基づいて描画データを作成し、作成した描画データを表示部２５に出力する。
【００４７】
一方、特定した認証結果が認証失敗を示す場合に、認証要求部２６３は、エラー処理を実行する。なお、エラー処理の実行は、例えば、認証に失敗した旨、ホーム画面の表示を指示するためのボタン等が表示された所定の画面を表示することにより行う。
【００４８】
ユーザにより操作部２４を介して、メッセージ検索画面の表示が指示された場合に、第１識別情報取得部２６１は、装着部２２に装着されている可搬記憶媒体からユーザを一意に識別する第１識別情報を読み出す。また、第２識別情報取得部２６２は、端末記憶部２３から第２識別情報を取得する。そして、認証要求部２６３は、読み出した第１識別情報、取得した第２識別情報等を含む認証要求を、端末通信部２１を介して伝言板サーバ５に送信する。
【００４９】
伝言板サーバ５から端末通信部２１を介して、認証応答を受信した場合に、認証要求部２６３は、受信した認証応答を解析して認証結果を特定し、特定した認証結果が認証成功を示すか否かを判定する。特定した認証結果が認証成功を示す場合に、安否情報確認要求部２６５は、端末記憶部２３からメッセージ検索画面表示用データを取得する。そして、安否情報確認要求部２６５は、取得したメッセージ検索画面表示用データに基づいて描画データを作成し、作成した描画データを表示部２５に出力する。
【００５０】
図３（ｅ）は、メッセージ検索画面表示用データに基づいて表示されるメッセージ検索画面を示す。画面上部には他のユーザに係る第２識別情報を入力すべき旨が、画面中央部には第２識別情報の入力欄が、画面下部には「確認」ボタンがそれぞれ表示されており、「確認」ボタンの押下により、入力欄に入力された第２識別情報に係るメッセージのメッセージ閲覧画面の表示が、安否情報確認要求部２６５に指示される。
【００５１】
ユーザにより操作部２４を介して、入力された第２識別情報に係るメッセージのメッセージ閲覧画面の表示が指示された場合に、安否情報確認要求部２６５は、その第２識別情報等を含む確認要求を、端末通信部２１を介して伝言板サーバ５に送信する。
【００５２】
伝言板サーバ５から端末通信部２１を介して、確認応答を受信した場合に、安否情報確認要求部２６５は、受信した確認応答を解析して登録日時及びメッセージを特定する。また、安否情報確認要求部２６５は、端末記憶部２３からメッセージ閲覧画面表示用データを取得する。そして、安否情報確認要求部２６５は、入力された第２識別情報、特定した登録日時及びメッセージ、並びに取得したメッセージ閲覧画面表示用データに基づいて描画データを作成し、作成した描画データを表示部２５に出力する。
【００５３】
図３（ｆ）は、メッセージ閲覧画面表示用データに基づいて表示されるメッセージ閲覧画面を示す。画面上部には他のユーザに係る第２識別情報、登録日時、及びメッセージが、画面下部には「戻る」ボタンがそれぞれ表示されており、「戻る」ボタンの押下により、ホーム画面の表示が端末処理部２６に指示される。
【００５４】
ユーザにより操作部２４を介して、ホーム画面の表示が指示された場合に、端末処理部２６は、端末記憶部２３からホーム画面表示用データを取得する。そして、端末処理部２６は、取得したホーム画面表示用データに基づいて描画データを作成し、作成した描画データを表示部２５に出力する。
【００５５】
一方、特定した認証結果が認証失敗を示す場合に、認証要求部２６３は、エラー処理を実行する。なお、エラー処理の実行は、例えば、認証に失敗した旨、ホーム画面の表示を指示するためのボタン等が表示された所定の画面を表示することにより行う。
【００５６】
図４（ａ）は、伝言板サーバ５の概略構成の一例を示す図である。
【００５７】
伝言板サーバ５は、携帯端末２からの要求に応じて、ユーザの認証並びに安否情報の登録及び確認を行う。そのために、伝言板サーバ５は、サーバ通信部５１と、サーバ記憶部５２と、サーバ処理部５３とを備える。
【００５８】
サーバ通信部５１は、伝言板サーバ５を通信ネットワーク４に接続するための通信インターフェース回路を備え、通信ネットワーク４との間で通信を行う。そして、サーバ通信部５１は、携帯端末２、ＣＵＲサーバ６等から受信したデータを、サーバ処理部５３に与える。また、サーバ通信部５１は、サーバ処理部５３から与えられたデータを、携帯端末２、ＣＵＲサーバ６等に送信する。
【００５９】
サーバ記憶部５２は、例えば、磁気テープ装置、磁気ディスク装置、及び光ディスク装置のうちの少なくともいずれか一つを備える。サーバ記憶部５２は、サーバ処理部５３での処理に用いられるドライバプログラム、オペレーティングシステムプログラム、アプリケーションプログラム、データ等を記憶する。例えば、サーバ記憶部５２は、アプリケーションプログラムとして、ユーザの認証を行うアプリケーションプログラム、安否情報の登録及び確認を行うアプリケーションプログラム等を記憶する。また、サーバ記憶部５２は、データとして、ユーザ−メッセージ対応テーブル（図４（ｂ））、メッセージ管理テーブル（図４（ｃ））等を記憶する。さらに、サーバ記憶部５２は、所定の処理に係る一時的なデータを一時的に記憶してもよい。
【００６０】
図４（ｂ）は、ユーザ−メッセージ対応テーブルの一例を示す。ユーザ−メッセージ対応テーブルには、第２識別情報及びメッセージの識別番号（ＩＤ）が含まれる。
【００６１】
図４（ｃ）は、メッセージ管理テーブルの一例を示す。メッセージ管理テーブルには、メッセージのＩＤ、登録日時、及び内容が含まれる。
【００６２】
サーバ処理部５３は、一又は複数個のプロセッサ及びその周辺回路を備える。サーバ処理部５３は、伝言板サーバ５の全体的な動作を統括的に制御するものであり、例えば、ＣＰＵ（Central Processing Unit）である。サーバ処理部５３は、伝言板サーバ５の各種処理がサーバ記憶部５２に記憶されているプログラム等に応じて適切な手順で実行されるように、サーバ通信部５１等の動作を制御する。サーバ処理部５３は、サーバ記憶部５２に記憶されているプログラム（ドライバプログラム、オペレーティングシステムプログラム、アプリケーションプログラム等）に基づいて処理を実行する。また、サーバ処理部５３は、複数のプログラム（アプリケーションプログラム等）を並列に実行することができる。
【００６３】
サーバ処理部５３は、認証部５３１と、安否情報登録部５３２と、安否情報確認部５３３とを備える。これらの各部は、サーバ処理部５３が備えるプロセッサ上で実行されるプログラムによって実装される機能モジュールである。あるいは、これらの各部は、ファームウェアとして、伝言板サーバ５に実装されてもよい。
【００６４】
携帯端末２からサーバ通信部５１を介して、認証要求を受信した場合に、認証部５３１は、受信した認証要求を解析して第１識別情報及び第２識別情報を特定する。そして、認証部５３１は、特定した第１識別情報等を含む取得要求を、サーバ通信部５１を介してＣＵＲサーバ６に送信する。
【００６５】
ＣＵＲサーバ６からサーバ通信部５１を介して、取得応答を受信した場合に、認証部５３１は、受信した取得応答を解析して第２識別情報を特定する。また、認証部５３１は、特定した第２識別情報を以前特定した第２識別情報と照合し、両者が一致するか否かを判定する。両者が一致する場合に、認証部５３１は、認証成功を示す認証結果等を含む認証応答を作成する。一方、両者が一致しない場合に、認証部５３１は、認証失敗を示す認証結果等を含む認証応答を作成する。そして、認証部５３１は、作成した認証応答を、サーバ通信部５１を介して携帯端末２に送信する。
【００６６】
携帯端末２からサーバ通信部５１を介して、登録要求を受信した場合に、安否情報登録部５３２は、受信した登録要求を解析してメッセージを特定し、特定したメッセージをサーバ記憶部５２に格納する。即ち、安否情報登録部５３２は、メッセージＩＤを採番し、また、現在日時を取得し、そのメッセージＩＤ及び現在日時と共に、特定したメッセージを、サーバ記憶部５２に記憶されているメッセージ管理テーブルに格納する。また、安否情報登録部５３２は、以前特定した第２識別情報をキーとして、サーバ記憶部５２に記憶されているユーザ−メッセージ対応テーブルを参照し、採番したメッセージＩＤを格納する。
【００６７】
携帯端末２からサーバ通信部５１を介して、確認要求を受信した場合に、安否情報確認部５３３は、受信した確認要求を解析して第２識別情報を特定する。また、安否情報確認部５３３は、特定した第２識別情報をキーとして、サーバ記憶部５２に記憶されているユーザ−メッセージ対応テーブルを参照し、メッセージＩＤを取得する。さらに、安否情報確認部５３３は、取得したメッセージＩＤをキーとして、サーバ記憶部５２に記憶されているメッセージ管理テーブルを参照し、登録日時及びメッセージを取得する。そして、安否情報確認部５３３は、取得した登録日時、メッセージ等を含む確認応答を、サーバ通信部５１を介して携帯端末２に送信する。
【００６８】
図５（ａ）は、ＣＵＲサーバ６の概略構成の一例を示す図である。
【００６９】
ＣＵＲサーバ６は、伝言板サーバ５からの要求に応じて、ユーザ情報の取得を行う。そのために、ＣＵＲサーバ６は、サーバ通信部６１と、サーバ記憶部６２と、サーバ処理部６３とを備える。
【００７０】
サーバ通信部６１は、ＣＵＲサーバ６を通信ネットワーク４に接続するための通信インターフェース回路を備え、通信ネットワーク４との間で通信を行う。そして、サーバ通信部６１は、伝言板サーバ５等から受信したデータを、サーバ処理部６３に与える。また、サーバ通信部６１は、サーバ処理部６３から与えられたデータを、伝言板サーバ５等に送信する。
【００７１】
サーバ記憶部６２は、例えば、磁気テープ装置、磁気ディスク装置、及び光ディスク装置のうちの少なくともいずれか一つを備える。サーバ記憶部６２は、サーバ処理部６３での処理に用いられるドライバプログラム、オペレーティングシステムプログラム、アプリケーションプログラム、データ等を記憶する。例えば、サーバ記憶部６２は、アプリケーションプログラムとして、ユーザ情報の取得を行うアプリケーションプログラム等を記憶する。また、サーバ記憶部６２は、データとして、ユーザ情報管理テーブル（図５（ｂ））等を記憶する。さらに、サーバ記憶部６２は、所定の処理に係る一時的なデータを一時的に記憶してもよい。
【００７２】
図５（ｂ）は、ユーザ情報管理テーブルの一例を示す。ユーザ情報管理テーブルには、ユーザに係る第１識別情報、第２識別情報、その他の契約内容に関する情報が含まれる。
【００７３】
サーバ処理部６３は、一又は複数個のプロセッサ及びその周辺回路を備える。サーバ処理部６３は、ＣＵＲサーバ６の全体的な動作を統括的に制御するものであり、例えば、ＣＰＵ（Central Processing Unit）である。サーバ処理部６３は、ＣＵＲサーバ６の各種の処理がサーバ記憶部６２に記憶されているプログラム等に応じて適切な手順で実行されるように、サーバ通信部６１等の動作を制御する。サーバ処理部６３は、サーバ記憶部６２に記憶されているプログラム（ドライバプログラム、オペレーティングシステムプログラム、アプリケーションプログラム等）に基づいて処理を実行する。また、サーバ処理部６３は、複数のプログラム（アプリケーションプログラム等）を並列に実行することができる。
【００７４】
サーバ処理部６３は、少なくともユーザ情報取得部６３１を備える。これらの各部は、サーバ処理部６３が備えるプロセッサ上で実行されるプログラムによって実装される機能モジュールである。あるいは、これらの各部は、ファームウェアとして、ＣＵＲサーバ６に実装されてもよい。
【００７５】
伝言板サーバ５からサーバ通信部６１を介して、取得要求を受信した場合に、ユーザ情報取得部６３１は、受信した取得要求を解析して第１識別情報を特定する。また、ユーザ情報取得部６３１は、特定した第１識別情報をキーとして、サーバ記憶部６２に記憶されているユーザ情報管理テーブルを参照し、第２識別情報を取得する。そして、ユーザ情報取得部６３１は、取得した第２識別情報等を含む取得応答を、サーバ通信部６１を介して伝言板サーバ５に送信する。
【００７６】
図６は、伝言板システム１の動作シーケンスの一例を示す図である。なお、以下に説明する動作シーケンスは、予め端末記憶部２３、サーバ記憶部５２、及びサーバ記憶部６２に記憶されているプログラムに基づいて、主に端末処理部２６、サーバ処理部５３、及びサーバ処理部６３により、携帯端末２、伝言板サーバ５、及びＣＵＲサーバ６の各要素と協働して実行される。
【００７７】
被災者は、操作部２４を介して携帯端末２ａに、安否情報の登録及び確認を行うアプリケーションプログラムの実行を指示する。端末処理部２６は、そのプログラムに基づいて処理を開始する（ステップＳ６００）。
【００７８】
端末処理部２６は、初期設定を開始する（ステップＳ６０２）。
【００７９】
図７は、端末処理部２６の動作フローの一例を示す図である。
【００８０】
端末処理部２６は、端末記憶部２３に第２識別情報が記憶されているか否かを判定する（ステップＳ７００）。
【００８１】
端末記憶部２３に第２識別情報号が記憶されている場合に（ステップＳ７００−Ｙｅｓ）、端末処理部２６は、初期設定を終了する。
【００８２】
一方、端末記憶部２３に第２識別情報が記憶されていない場合に（ステップＳ７００−Ｎｏ）、端末処理部２６は、端末記憶部２３から第２識別情報入力画面表示用データを取得し、取得した第２識別情報入力画面表示用データに基づいて、第２識別情報入力画面を表示部２５に表示する（ステップＳ７０２）。
【００８３】
ユーザにより操作部２４を介して、入力された第２識別情報の端末記憶部２３への格納が指示された場合に、端末処理部２６は、その第２識別情報を端末記憶部２３に格納する（ステップＳ７０４）。そして、端末処理部２６は、初期設定を終了する。
【００８４】
図６に戻り、端末処理部２６は、端末記憶部２３からホーム画面表示用データを取得し、取得したホーム画面表示用データに基づいて、ホーム画面を表示部２５に表示する（ステップＳ６０４）。
【００８５】
ユーザにより操作部２４を介して、メッセージ入力画面の表示が指示された場合に、第１識別情報取得部２６１は、装着部２２に装着されている可搬記憶媒体から第１識別情報を読み出す（ステップＳ６０６）。
【００８６】
また、第２識別情報取得部２６２は、端末記憶部２３から第２識別情報を取得する（ステップＳ６０８）。
【００８７】
認証要求部２６３は、読み出した第１識別情報、取得した第２識別情報等を含む認証要求を、端末通信部２１を介して伝言板サーバ５に送信する（ステップＳ６１０）。
【００８８】
携帯端末２からサーバ通信部５１を介して、認証要求を受信した場合に、認証部５３１は、受信した認証要求を解析して第１識別情報及び第２識別情報を特定する。そして、認証部５３１は、特定した第１識別情報等を含む取得要求を、サーバ通信部５１を介してＣＵＲサーバ６に送信する（ステップＳ６１２）。
【００８９】
伝言板サーバ５からサーバ通信部６１を介して、取得要求を受信した場合に、ユーザ情報取得部６３１は、受信した取得要求を解析して第１識別情報を特定する。また、ユーザ情報取得部６３１は、特定した第１識別情報をキーとして、サーバ記憶部６２に記憶されているユーザ情報管理テーブルを参照し、第２識別情報を取得する（ステップＳ６１４）。
【００９０】
ユーザ情報取得部６３１は、取得した第２識別情報等を含む取得応答を、サーバ通信部６１を介して伝言板サーバ５に送信する（ステップＳ６１６）。
【００９１】
ＣＵＲサーバ６からサーバ通信部５１を介して、取得応答を受信した場合に、認証部５３１は、受信した取得応答を解析して第２識別情報を特定する。また、認証部５３１は、特定した第２識別情報を以前特定した第２識別情報と照合し、両者が一致するか否かを判定する（ステップＳ６１８）。
【００９２】
認証部５３１は、判定結果等を含む認証応答を、サーバ通信部５１を介して携帯端末２に送信する（ステップＳ６２０）。
【００９３】
伝言板サーバ５から端末通信部２１を介して、認証応答を受信した場合に、認証要求部２６３は、受信した認証応答を解析して認証結果を特定し、特定した認証結果が認証成功を示すか否かを判定する（ステップＳ６２２）。
【００９４】
特定した認証結果が認証失敗を示す場合に（ステップＳ６２２−Ｎｏ）、認証要求部２６３は、エラー処理を実行する（ステップＳ６３２）。
【００９５】
一方、特定した認証結果が認証成功を示す場合に（ステップＳ６２２−Ｙｅｓ）、安否情報登録要求部２６４は、端末記憶部２３からメッセージ入力画面表示用データを取得し、取得したメッセージ入力画面表示用データに基づいて、メッセージ入力画面を表示部２５に表示する（ステップＳ６２４）。
【００９６】
ユーザにより操作部２４を介して、入力されたメッセージの伝言板サーバ５への登録が指示された場合に、安否情報登録要求部２６４は、そのメッセージ等を含む登録要求を、端末通信部２１を介して伝言板サーバ５に送信する（ステップＳ６２６）。
【００９７】
また、安否情報登録要求部２６４は、端末記憶部２３からメッセージ登録完了画面表示用データを取得し、取得したメッセージ登録完了画面表示用データに基づいて、メッセージ登録完了画面を表示部２５に表示する（ステップＳ６２８）。
【００９８】
携帯端末２からサーバ通信部５１を介して、登録要求を受信した場合に、安否情報登録部５３２は、受信した登録要求を解析してメッセージを特定し、特定したメッセージをサーバ記憶部５２に格納する（ステップＳ６３０）。
【００９９】
図８は、伝言板システム１の動作シーケンスの他の一例を示す図である。なお、この動作シーケンスのうち、ステップＳ６０２、６０４、６０８〜６２２、６３２については、図６に示されるものと同一であるので、以下では説明を省略する。
【０１００】
確認者は、操作部２４を介して携帯端末２ｂに、安否情報の登録及び確認を行うアプリケーションプログラムの実行を指示する。端末処理部２６は、そのプログラムに基づいて処理を開始する（ステップＳ６００）。
【０１０１】
ユーザにより操作部２４を介して、メッセージ検索画面の表示が指示された場合に、第１識別情報取得部２６１は、装着部２２に装着されている可搬記憶媒体から第１識別情報を読み出す（ステップＳ６０６）。
【０１０２】
特定した認証結果が認証成功を示す場合に（ステップＳ６２２−Ｙｅｓ）、安否情報確認要求部２６５は、端末記憶部２３からメッセージ検索画面表示用データを取得し、取得したメッセージ検索画面表示用データに基づいて、メッセージ検索画面を表示部２５に表示する（ステップＳ８００）。
【０１０３】
ユーザにより操作部２４を介して、入力された第２識別情報に係るメッセージのメッセージ閲覧画面の表示が指示された場合に、安否情報確認要求部２６５は、その第２識別情報等を含む確認要求を、端末通信部２１を介して伝言板サーバ５に送信する（ステップＳ８０２）。
【０１０４】
携帯端末２からサーバ通信部５１を介して、確認要求を受信した場合に、安否情報確認部５３３は、受信した確認要求を解析して第２識別情報を特定する。また、安否情報確認部５３３は、特定した第２識別情報をキーとして、サーバ記憶部５２に記憶されているユーザ−メッセージ対応テーブルを参照し、メッセージＩＤを取得する。さらに、安否情報確認部５３３は、取得したメッセージＩＤをキーとして、サーバ記憶部５２に記憶されているメッセージ管理テーブルを参照し、登録日時及びメッセージを取得する（ステップＳ８０４）。
【０１０５】
安否情報確認部５３３は、抽出した登録日時、メッセージ等を含む確認応答を、サーバ通信部５１を介して携帯端末２に送信する（ステップＳ８０６）。
【０１０６】
伝言板サーバ５から端末通信部２１を介して、確認応答を受信した場合に、安否情報確認要求部２６５は、受信した確認応答を解析して登録日時及びメッセージを特定する。また、安否情報確認要求部２６５は、端末記憶部２３からメッセージ閲覧画面表示用データを取得する。そして、安否情報確認要求部２６５は、入力された第２識別情報、特定した登録日時及びメッセージ、並びに取得したメッセージ閲覧画面表示用データに基づいて、メッセージ閲覧画面を表示部２５に表示する（ステップＳ８０８）。
【０１０７】
ここで、端末処理部２６が、操作部２４を介してユーザにより入力された第２識別情報を端末記憶部２３に格納しておき、第２識別情報取得部２６２は、端末記憶部２３から第２識別情報を取得するとしたが、第２識別情報取得部２６２は、操作部２４を介してユーザから第２識別情報を取得してもよい。また、装着部２２に装着されている可搬記憶媒体から第１識別情報だけでなく、第２識別情報も読み出せる場合は、端末処理部２６が、装着部２２に装着されている可搬記憶媒体から読み出した第２識別情報を端末記憶部２３に格納しておき、第２識別情報取得部２６２は、端末記憶部２３から第２識別情報を取得してもよい。さらに、第２識別情報取得部２６２は、装着部２２に装着されている可搬記憶媒体から第２識別情報を読み出してもよい。
【０１０８】
ここで、可搬記憶媒体を別の異なる携帯端末２に装着する場合にも、同様の手順で安否情報の登録や確認を行うことができる。即ち、可搬記憶媒体に記憶されている第１識別情報とユーザが入力した第２識別情報がその携帯端末２から伝言板サーバ５に送信され、伝言板サーバ５でユーザ認証が行われ、ユーザ認証が成功すると、その携帯端末２から安否情報の登録を行うことができる。安否情報の確認を行う場合も同様の手順による。
【０１０９】
以上説明してきたように、可搬記憶媒体に不可分に割り当てられた情報でユーザと一意に対応づけが可能な第１識別情報と、ユーザが記憶している（しやすい）情報で可搬記憶媒体と一意に対応づけが可能な第２識別情報とを併用することにより、簡便かつ柔軟に安否情報の登録や確認を行うことが可能となる。また、可搬記憶媒体を別の携帯端末２に装着した場合であっても、安否情報の登録や確認を行うことが可能となる。即ち、ユーザが所持している携帯端末２が電池切れや損傷を受けたために使用不能になったときでも、その携帯端末２に装着されている可搬記憶媒体を取り出して、別の異なる携帯端末２に装着されている可搬記憶媒体と差し換えて使用することで安否情報の登録や確認を簡便かつ柔軟に行うことが可能となる。ここで、通信料金は可搬記憶媒体を所持しているユーザに課金されるため、他人の携帯端末２を借り受けて可搬記憶媒体を差し換えた場合には、伝言板サーバ５への接続だけでなく通話やメールを使用しても通信料金の精算は不要になる。
【０１１０】
なお、本発明は、本実施形態に限定されるものではない。例えば、本実施形態では、認証要求部２６３は、第１識別情報及び第２識別情報の両方を伝言板サーバ５に送信するとしたが、携帯端末２の動作モードに応じていずれか一方を送信してもよい。同様に、認証部５３１は、伝言板サーバ５の動作モードに応じていずれか一方によりユーザ認証を行ってもよい。例えば、携帯端末２は、「通常モード」及び「災害モード」のいずれか一方で動作するとし、携帯端末２が「通常モード」で動作している場合に、認証要求部２６３は、第１識別情報のみを伝言板サーバ５に送信する。一方、不図示の配信サーバから災害情報（例えば、緊急地震速報）を受信した場合に、携帯端末２は「災害モード」に移行し、携帯端末２が「災害モード」で動作している場合に、認証要求部２６３は、第１識別情報及び第２識別情報を伝言板サーバ５に送信する。同様に、伝言板サーバ５は、「通常モード」及び「災害モード」のいずれか一方で動作するとし、伝言板サーバ５が「通常モード」で動作している場合に、認証部５３１は、第１識別情報のみによりユーザ認証を行う。一方、不図示の配信サーバから災害情報を受信した場合に、伝言板サーバ５は「災害モード」に移行し、伝言板サーバ５が「災害モード」で動作している場合に、認証部５３１は、第１識別情報及び第２識別情報によりユーザ認証を行う。これにより、平時には簡便性を向上させることが可能となる。
【０１１１】
また、本実施形態では、第１識別情報及び第２識別情報の送信方法については、特に規定しなかったが、ＡＥＳ（Advanced Encryption Standard）等の暗号化アルゴリズムを用いて暗号化を施してから送信してもよい。これにより、安全性をより向上させることが可能となる。
【０１１２】
また、端末処理部２６、サーバ処理部５３、及びサーバ処理部６３が備える各機能をコンピュータに実現させるためのコンピュータプログラムは、磁気記録媒体、光記録媒体等のコンピュータにより読み取り可能な記録媒体に記録された形で提供されてもよい。
【０１１３】
当業者は、本発明の精神及び範囲から外れることなく、様々な変更、置換及び修正をこれに加えることが可能であることを理解されたい。
【符号の説明】
【０１１４】
１    伝言板システム
２、２ａ、２ｂ    携帯端末
２１    端末通信部
２２    装着部
２３    端末記憶部
２４    操作部
２５    表示部
２６    端末処理部
２６１    第１識別情報取得部
２６２    第２識別情報取得部
２６３    認証要求部
２６４    安否情報登録要求部
２６５    安否情報確認要求部
３、３ａ、３ｂ    基地局
４    通信ネットワーク
５    伝言板サーバ
５１    サーバ通信部
５２    サーバ記憶部
５３    サーバ処理部
５３１    認証部
５３２    安否情報登録部
５３３    安否情報確認部
６    ＣＵＲサーバ
６１    サーバ通信部
６２    サーバ記憶部
６３    サーバ処理部
６３１    ユーザ情報取得部
【図１】
2014123315.tif 000003
【図２】
2014123315.tif 000004
【図３】
2014123315.tif 000005
【図４】
2014123315.tif 000006
【図５】
2014123315.tif 000007
【図６】
2014123315.tif 000008
【図７】
2014123315.tif 000009
【図８】
2014123315.tif 000010